(57)【要約】【課題】  記録メディアの限られた記録容量をより効率的に使用し、ユーザの使い勝手の良い記録再生装置を提供する。【解決手段】  圧縮された第１のディジタル信号を記録メディア１０９に記録する第１のモードと、記録メディアから圧縮された第２のディジタル信号を再生し、圧縮部１０６でより高い圧縮率にて再度圧縮し、記録メディアに再度記録する第２のモードとを有し、制御部１１３は、第１のモードと第２のモードを併行して行うようにした。制御部には、記録メディアに記録された各ディジタル信号の管理情報として、記録時の圧縮率を示す情報２１５と、圧縮率を変換し再度記録することを許可する情報２１７と、再度記録をした履歴を示す情報２１８とを格納する。【選択図】  図１
2005190600.tif 000002
【特許請求の範囲】
【請求項１】
ディジタル信号を記録メディアに記録および再生するディジタル信号記録再生装置において、
ディジタル信号を圧縮する圧縮部と、
圧縮されたディジタル信号を前記記録メディアに記録する記録部と、
前記記録メディアから圧縮されたディジタル信号を再生する再生部と、
前記圧縮部、前記記録部および前記再生部を制御する制御部を備え、
圧縮された第１のディジタル信号を前記記録メディアに記録する第１のモードと、前記記録メディアから圧縮された第２のディジタル信号を再生し、前記圧縮部でより高い圧縮率にて再度圧縮し、前記記録メディアに再度記録する第２のモードとを有し、
前記制御部は、前記第１のモードと前記第２のモードを併行して行うことを特徴とするディジタル信号記録再生装置。
【請求項２】
請求項１に記載のディジタル信号記録再生装置において、
前記第１のモードの所要時間は前記第２のモードの所要時間よりも長いことを特徴とするディジタル信号記録再生装置。
【請求項３】
請求項１または２に記載のディジタル信号記録再生装置において、
前記制御部は、前記記録メディアに記録された各ディジタル信号の管理情報として、記録時の圧縮率を示す情報と、圧縮率を変換し再度記録することを許可する情報と、再度記録をした履歴を示す情報とを格納することを特徴とするディジタル信号記録再生装置。
【請求項４】
ディジタル信号を記録メディアに記録および再生するディジタル信号記録再生装置において、
圧縮されたディジタル信号が入力される入力部と、
ディジタル信号を圧縮する圧縮部と、
圧縮されたディジタル信号を伸長する伸長部と、
圧縮されたディジタル信号を前記記録メディアに記録する記録部と、
前記記録メディアから圧縮されたディジタル信号を再生する再生部と、
前記圧縮部、前記伸長部、前記記録部および前記再生部を制御する制御部を備え、
前記入力部から入力するディジタル信号の記録時間が既知である場合、該ディジタル信号を前記記録メディアに記録する動作と併行して、前記記録時間以内にて、前記記録メディアに記録されたディジタル信号を再生し、前記伸長部で伸長し、前記圧縮部で前記記録メディアに記録されていたビットレートより低いビットレートで再度圧縮し、前記記録メディアに再度記録することを特徴とするディジタル信号記録再生装置。
【請求項５】
請求項４に記載のディジタル信号記録再生装置において、
前記制御部は、前記記録メディアに記録された各ディジタル信号の管理情報として、記録時のビットレートを示す情報と、ビットレートを変換し再度記録することを許可する情報と、再度記録をした履歴を示す情報とを格納することを特徴とするディジタル信号記録再生装置。
【請求項６】
請求項４記載のディジタル信号記録再生装置において、
前記再度記録することを許可する情報は、前記記録部によりディジタル信号を記録する動作とは関係なく設定可能であることを特徴としたディジタル信号記録再生装置。
【請求項７】
請求項５記載のディジタル信号記録再生装置において、
前記入力部から入力するディジタル信号の記録時間が未知である場合、
該入力部から入力するディジタル信号の記録が終了するまで、前記再度記録することを許可する情報が付されたディジタル信号を順次ビットレート変換を行い、前記記録メディアに再度記録を継続することを特徴としたディジタル信号記録再生装置。
【請求項８】
請求項４記載のディジタル信号記録再生装置において、
前記圧縮部には、非圧縮ディジタル信号と、前記伸長部の出力信号の一方が選択されて入力されることを特徴とするディジタル信号記録再生装置。
【請求項９】
請求項４に記載のディジタル信号記録再生装置において、
前記入力部と前記圧縮部を複数系統有し、
非圧縮ディジタル信号を第１の圧縮部にて圧縮して記録する動作と併行して、
記録メディアから再生したディジタル信号を第２の圧縮部にて圧縮して再度記録することを特徴とするディジタル信号記録再生装置。
【発明の詳細な説明】
【技術分野】
【０００１】
本発明は、ディジタル信号を記録メディアに記録および再生するディジタル信号記録再生装置に関し、特に記録メディアの記録容量を効率的に使用する装置に関する。
【背景技術】
【０００２】
近年、衛星ディジタル放送の普及に加え、地上波ディジタル放送も開始され、放送のディジタル化が推進されている。これに対応する記録再生装置として、家庭用のビデオテープレコーダに代えて、ハードディスクドライブ装置（以後ＨＤＤと呼ぶ）やＤＶＤ−ＲＡＭ（Ｄｉｇｉｔａｌ  Ｖｅｒｓａｔｉｌｅ  Ｄｉｓｃ  Ｒａｎｄｏｍ  Ａｃｃｅｓｓ  Ｍｅｍｏｒｙ）等を記録メディアとするＨＤＤレコーダやＤＶＤレコーダ、またこれらを一体化したいわゆるハイブリッドレコーダが製品化されている。ハイブリッドレコーダは、ＨＤＤへ一時記録したコンテンツを保存用として、リムーバブルなＤＶＤへ記録する使用方法が考えられる。また内蔵されるＨＤＤなどの記録メディアの容量は年々増加し、記録可能なコンテンツ量も増加し続けている。ＨＤＤ（ＤＶＤ）への記録時間は、アナログ放送においてはエンコード時の圧縮率を変化することにより、画質と記録時間のどちらを優先に設定するか調整できる。また、ディジタル放送においてはハイビジョン放送などの高精細（Ｈｉｇｈ  Ｄｅｆｉｎｉｔｉｏｎ、以後ＨＤとする）方式と標準精細（Ｓｔａｎｄａｒｄ  Ｄｅｆｉｎｉｔｉｏｎ、以後ＳＤとする）方式が存在し、ＨＤ方式で放送されたものをＳＤ方式に変換（ダウンコンバート）し、記録時間を優先した方式で記録可能である。
【０００３】
この記録メディアの容量の管理方法として、記録時に記録メディアの空容量が不十分なとき、記録メディア上に記録された情報をその重要度に基づいて削除し、メディアの空容量を確保し、記録を継続可能とする技術が特許文献１に開示されている。
【０００４】
【特許文献１】特開２０００−２１１３６号公報
【発明の開示】
【発明が解決しようとする課題】
【０００５】
ハイブリッドレコーダは大容量のコンテンツを記録できる為、受信したコンテンツをとりあえず記録し、時間があるときに視聴することが多い。従って、記録時においては保存用として画質優先でＨＤＤへ記録したが、記録が終了した後に優先度が下がり、ＤＶＤへの保存の必要はないものの視聴するまではＨＤＤへ保存しておきたいという場合がある。この場合、上記特許文献１の技術に従いコンテンツの優先順位を下げてしまうと、空容量が不足した時にこのコンテンツは削除され視聴することができなくなる。また、上記コンテンツを削除せずにそのまま残すと、高画質で記録している為、必要以上に記録容量を使用していることになる。
【０００６】
本発明は、上記課題を解決し、記録メディアの記録容量をより効率的に使用できる記録再生装置を提供することを目的とする。
【課題を解決するための手段】
【０００７】
上記課題を解決するために、本発明のディジタル信号記録再生装置は、ディジタル信号を圧縮する圧縮部と、圧縮されたディジタル信号を前記記録メディアに記録する記録部と、前記記録メディアから圧縮されたディジタル信号を再生する再生部と、前記圧縮部、前記記録部および前記再生部を制御する制御部を備える。そして、圧縮された第１のディジタル信号を前記記録メディアに記録する第１のモードと、前記記録メディアから圧縮された第２のディジタル信号を再生し、前記圧縮部でより高い圧縮率にて再度圧縮し、前記記録メディアに再度記録する第２のモードとを有し、前記制御部は、前記第１のモードと前記第２のモードを併行して行うようにした。
【０００８】
前記制御部は、前記記録メディアに記録された各ディジタル信号の管理情報として、記録時の圧縮率を示す情報と、圧縮率を変換し再度記録することを許可する情報と、再度記録をした履歴を示す情報とを格納する。
【０００９】
記録するディジタル信号の記録時間が既知である場合、該ディジタル信号を前記記録メディアに記録する動作と併行して、前記記録時間以内にて、前記記録メディアに記録されたディジタル信号を再生し、前記伸長部で伸長し、前記圧縮部で前記記録メディアに記録されていたビットレートより低いビットレートで再度圧縮し、前記記録メディアに再度記録するようにした。
【発明の効果】
【００１０】
本発明によれば、ユーザの好みに応じて記録メディアを効率良く使用できる記録再生装置を提供できる。
【発明を実施するための最良の形態】
【００１１】
以下、本発明の実施例について図面を参照して説明する。
【実施例１】
【００１２】
図１は、本発明を適用したディジタル信号記録再生装置の一実施例を示すブロック図である。本実施例は、受信したアナログ放送とディジタル放送をＨＤＤへ記録し、例えば、プラズマディスプレイや液晶ディスプレイに接続し視聴するものである。その構成は、アナログ放送を受信し、例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像信号を抽出する為のアナログチューナ１０１、受信した映像信号から伝送途中に反射等により発生したゴーストを除去するゴースト除去部１０２、映像信号のフレーム相関を利用し輝度信号と色信号に分離した後、ノイズを除去する輝度・色信号分離部１０３、輝度・色信号に分離された映像信号を例えば、ベースバンドの映像信号にデコードするＮＴＳＣデコーダ１０４、ＮＴＳＣデコーダ１０４と後述するデコーダ１１０を制御部１１３の設定により切り換える切換部１０５、切換部１０５からリアルタイムに供給されるベースバンドの映像信号を、例えばＭＰＥＧ（Ｍｏｖｉｎｇ  Ｐｉｃｔｕｒｅ  Ｅｘｐｅｒｔｓ  Ｇｒｏｕｐ）規格を用いて高能率にディジタル圧縮符号化するエンコーダ１０６、ディジタル放送を受信するディジタルチューナ１０７である。ディジタルチューナ１０７から供給されるディジタル映像信号は、画像／音声のストリームをＭＰＥＧ２方式によりコード化したエレメンタリーストリーム（Ｅｌｅｍｅｎｔａｒｙ  Ｓｔｒｅａｍ）を、共通のタイムベースごとにＰＥＳ（Ｐａｃｋｅｔｉｚｅｄ  Ｅｌｅｍｅｎｔａｒｙ  Ｓｔｒｅａｍ）パケットに取り込み、該ＰＥＳパケットを複数結合したトランスポートストリーム（以下ＴＳとする）というストリームで供給される。記録再生制御部１０８は、エンコーダ１０６とディジタルチューナ１０７から入力されるＴＳ入力と記録メディア１０９に記録されたコンテンツを再生した信号を一時バッファリングし、記録メディア１０９への記録と再生を時分割に調停し、連続的に記録再生を可能とする。デコーダ１１０は少なくとも２つ以上のＴＳ入力をデコードするものであり、デコーダを２個に分割した構成でも構わない。描画処理部１１１は、デコーダ１０４，１１０からの映像信号を、１画面あるいは２画面に同時描画処理し、ディスプレイへの映像信号を出力する。この出力１１２を、例えばプラズマディスプレイや液晶ディスプレイに接続する。制御部１１３は、チューナ選局、記録、再生など各部の制御内容を司る、例えばマイクロプロセッサなどである。表示部１１４は制御部１１３の制御に対応した処理内容をユーザーに通知するものである。表示部１１４は装置外部に接続する構成でもよい。
【００１３】
図２は、記録メディア１０９に記録されたコンテンツの管理情報を示す図であり、記録されたコンテンツごとに記録管理情報２００が２０１，２０２…，２０８が存在する。図３は、管理情報２００の詳細を示す例であり、記録管理情報２００内には少なくとも、ファイル番号２１１、チャンネル、タイトル名も含むタイトル入力情報２１２、記録日時２１３、記録サイズ２１４、記録モード２１５、記録データの先頭アドレス２１６、再エンコード許可フラグ（Ｄｏｗｎ  ｃｏｎｖｅｒｔ）２１７、再エンコード履歴（ＤＣ履歴）２１８を示す情報が格納されている。再エンコード許可フラグは、記録開始、終了及び記録中を問わず設定可能とする。図中の管理情報２０１，２０３，２０５は再エンコード許可フラグ２１７が設定された例である。従って、高画質モードで記録したもののコンテンツの記録終了後に、ユーザーにとっての重要度が低下し、視聴した後に削除したいが、記録メディア１０９の容量節約の為、低画質に変換して残しておきたいという場合に、このコンテンツの管理情報内の再エンコード許可フラグ２１７をセットする。このセットの入力には、例えばリモコンの専用ボタンを割り当てても良いし、兼用したものとしても構わない。
【００１４】
図４（ａ）および図４（ｂ）は、上記実施例において自動的に再エンコード処理を行う際のフローチャートを示す図である。ここでは、再エンコード許可フラグがセットされおり、タイマ予約などにより記録時間が既知である記録を行う場合に、自動で再エンコードを行うものである。
【００１５】
まず、制御部１１３にユーザーの入力により、管理情報が登録される（Ｓ１０１）。次に制御部１１３は管理情報内の記録サイズ２１４と、再エンコード許可フラグ２１７を検索し（Ｓ１０２）、再エンコード許可フラグ２１７がイネーブル状態（例えば“１”）であり、且つ記録されたサイズが現在記録しようとするサイズ以下である（Ｓ１０３）ファイル番号０１を選択する。これは、後述するように再エンコード記録を先に終了させるためである。本例では、ファイル番号０５はサイズが大きく非該当とし、ファイル番号０１，０３が該当するファイルであり、ファイル番号０１を選択したとする。この該当ファイル番号０１について、画質を低レート変換したサイズを演算する（Ｓ１０４）。そして、制御部１１３は設定された記録モード２１５と記録時間２１３を元に、現在の管理情報内の記録サイズ２１４から、記録メディア１０９内の残量を計算し（Ｓ１０５）、記録可能な容量内であるか判定する（Ｓ１０６）。計算結果、記録可能であれば設定完了したことを表示部１１４、もしくはディスプレイに表示するとともに（Ｓ１０７）、電源をオフし待機状態となる（Ｓ１０８）。
【００１６】
容量が不足した場合は、記録中止（Ｓ１０９）、他のコンテンツを削除する（Ｓ１１０）、別の再エンコード許可フラグを設定（Ｓ１１１）のいずれかを選択するようにユーザーに表示する。記録中止を選択した場合は、処理の終了となり（Ｓ１２９）、コンテンツ削除、別の再エンコード許可フラグの設定を選択した場合は、実行するコンテンツを選択し（Ｓ１１２）（Ｓ１１３）、再度残量を計算する。
【００１７】
今回記録するコンテンツを、ディジタルチューナ１０７からのディジタル放送２０７とする。次に記録開始時は、制御部１１３に内蔵されているタイマにより、記録日時２１３に設定された時間に到達する、例えば、３分前に電源を起動し待機状態に入る（Ｓ１１４）。
【００１８】
まず、エンコーダ１０６のビットレートの設定を、記録モード２１５に記録されたビットレートより低いビットレートに設定する（Ｓ１１５）。具体的には、ＳＰモードで記録されたファイル番号０１をＬＰモードに変更する。
【００１９】
次に、切換部１０５をデコーダ１１０からの信号を選択するように切り換え（Ｓ１１６）、ディジタルチューナ１０７をタイトル入力情報２１２に設定されたチャンネルに設定し（Ｓ１１７）、受信を開始し後（Ｓ１１８）、記録が開始される（Ｓ１１９）。
【００２０】
同時に、管理情報内の再エンコード許可フラグ２１７に従い、記録メディア１０９からは、管理情報２０１のコンテンツが再生され（Ｓ１２１）、デコーダ１１０にてデコードされた信号を（Ｓ１２２）、前回の記録モードよりレートを下げたＬＰモードで再エンコードし（Ｓ１２３）、記録再生制御部１０８により、記録メディア１０９に再度記録していく（Ｓ１２４）。記録再生制御部１０８は、ディジタルチューナ１０７とエンコーダ１０６からの記録信号と、記録メディア９からの再生信号の各信号を調停しバッファリングした後、時分割に記録及び再生処理を破綻無く行う。
【００２１】
そして、管理情報２０１内の全記録サイズ２１４の再生を行い、ダウンコンバート処理が施され記録メディア１０９に記録される。記録が終了した時点で（Ｓ１２５）、管理情報２０１の記録モード２１５をＳＰからＬＰに変更し、記録データの先頭アドレス２１６、再エンコード履歴２１８を制御部１１３により更新する（Ｓ１２６）。再エンコード履歴２１８の変更方法は、変更された場合を“１”とし、次回に容量整理が実行されるときは、記録サイズ２１４内で、再エンコード許可フラグ２１７がイネーブル、且つ容量変更履歴２１８が“０”であるコンテンツを優先的に実行することで、万遍なく実行される。また、レート変更を前回記録時より、１段階ずつ落としていく場合は、変更履歴も１，２，３…と更新し、履歴の更新数が少ないものを優先しても良い。
【００２２】
この再エンコード記録を行うコンテンツは、現在受信中のコンテンツより記録サイズが少ない為、再エンコード記録が先に終了しており、タイマ記録を終了した時点において（Ｓ１２０）、ＨＤＤレコーダ１００の電源を自動的にオフする（Ｓ１２８）。このため再エンコードを実行するために拘束されることもなく、ユーザーとしては再エンコードによる記録メディア１０８の残容量の最適化を意識することなく実行可能となる。
【実施例２】
【００２３】
次に図５を用いて、本発明による第２の実施例を説明する。第１の実施例（図１）では、エンコーダ１０６には、アナログチューナ１０１からの信号と、デコーダ１１０からの信号を切換部１０５により一方を選択して供給していた。よって、アナログチューナ１０１のコンテンツを記録中は、再エンコードによる記録メディア１０９の残容量の最適化を実行することができない。そこで第２の実施例（図５）では、エンコーダ１１５を追加することで、切換部１０５をなくし再エンコード専用とする。この構成により、アナログ放送の記録時においても、同様に記録メディア１０９の残容量の最適化が実現できる。
【実施例３】
【００２４】
次に図６は、予約無しで視聴しているコンテンツを記録中に再エンコード処理を行う際のフローチャートを示す図である。
【００２５】
ここで、前述第１の実施例と異なる点は、記録時間が未知な点である。この場合、コンテンツの再エンコードの処理は、現在記録中のコンテンツの記録時間内に終了するとは限らない。この記録時間内に終了する場合は、上記第１の実施例と同一の処理となるため説明を省略し、記録時間内に終了しない場合につき説明する。
【００２６】
まず、ユーザーは記録すべき各情報（タイトル２１２と記録モード２１５に相当）を入力することで管理情報に登録し（Ｓ２０１）、ディジタルチューナ１０１、エンコーダ１１５などの設定の記録に関する設定を行い（Ｓ２０２）、コンテンツの受信を開始する（Ｓ２０３）。記録データの先頭アドレスなどの情報は制御部１１３にて自動で管理情報に設定された後、記録が開始する（Ｓ２０４）。当然ながらこのとき、記録サイズはまだ設定されない。
【００２７】
次に、制御部１１３により、管理情報内の再エンコード許可フラグ２１７を検索し、イネーブル状態であるファイル番号を検索する（Ｓ２０５）。本例においてはファイル番号０１，０３，０５が該当するファイルとなる。この該当ファイルについては、再エンコードした後の記録サイズを演算する（Ｓ２０６）。次に、制御部１１３は設定された記録モードを元に、現在の管理情報内の記録サイズ２１４から、記録メディア１０９内の残量を演算し（Ｓ２０７）、現在の記録モードで記録可能な容量を表示部１１４に表示する（Ｓ２０８）。ユーザーが要求する記録時間より小さければ、記録中止（Ｓ２０９）、または他のコンテンツの削除（Ｓ２１０）の操作をユーザーに促す。ユーザーによる入力が無い場合は、記録可能なサイズまで継続される（Ｓ２２０）。記録中止を選択した場合は、処理の終了となり（Ｓ２２４）、コンテンツ削除を選択した場合は、実行するコンテンツを選択し（Ｓ２１２）、再度残量を演算する（Ｓ２０７）。
【００２８】
同時に、再エンコード許可フラグに従い、記録メディア１０９からは、管理情報２０１のコンテンツが再生され（Ｓ２１３）、デコーダ１１０を介して（Ｓ２１４）、エンコーダ１１５に供給される。エンコーダ１１５のビットレートは、管理情報２０１に記録された前回の記録モードであるＳＰモードより、レートを下げたＬＰモードで再エンコードするように制御部１１３により設定される（Ｓ２１５）。レートの変更量については、前回より一段階づつ下位のモードに変更しても、いきなり最下位のモードにしても構わない。再エンコードされたコンテンツは記録再生制御部１０８により、記録メディア１０９に記録されていく（Ｓ２１６）。ファイル番号０１の再エンコード記録が終了し（Ｓ２１７）、管理情報を更新した時点において（Ｓ２１８）、現在記録中であるコンテンツの記録の状態を確認し、終了していなければ（Ｓ２２０）、次の再エンコード可能なファイル番号０３について処理を開始する（Ｓ２２１）。そして、ユーザーによる記録終了を制御部１１３にて検知するまで、再エンコード許可フラグがイネーブルであるコンテンツ（２０１，２０３，２０５）について再エンコード記録を継続する。再エンコード可能なコンテンツについて全て、再エンコードを実行してしまった場合は、その時点で新たに再エンコード許可フラグ２１７を設定しても、記録を終了しても、どちらでも構わない。
【００２９】
そして、ユーザーによる記録終了を検知した時点（Ｓ２２０）で、現在処理中のコンテンツ（本例では２０５とする）を最後の再エンコードコンテンツとする。
【００３０】
ここで、ディジタルチューナからのコンテンツの記録は既に終了している為、ユーザーには、残容量の最適化中であることをディスプレイもしくは表示部１１４に表示し（Ｓ２２３）、管理情報２０５内の記録サイズ２１４に示された全てのサイズを再生し、ダウンコンバートされ記録メディア１０９に記録した時点で終了する（Ｓ２２２）。この記録時点において、ＨＤＤレコーダ１００の電源を自動でオフ（Ｓ２２４）しても構わない。
【００３１】
上記構成により、突然の記録時においても、既に記録されたコンテンツを再エンコード記録するため、記録最中での中断を避けることや、記録メディアの残容量の最適化が可能となる。
【００３２】
以上、本発明によると、記録設定を高レートで記録したコンテンツを、他に設定された予約記録を開始した時と同時に再生し、低レートに変化した後、再度ＨＤＤへ記録しなおすことにより、ＨＤＤの残容量を確保することが可能となる。従って、記録されたデータを削除する必要がない。また、低レートに変化する操作の為だけに動作する必要がない為、ユーザーが拘束されることがなく、ＨＤＤレコーダなどの使い勝手が向上する。
【図面の簡単な説明】
【００３３】
【図１】本発明を適用したディジタル信号記録再生装置の一実施例を示すブロック図。
【図２】記録メディア１０９に記録されたコンテンツの管理情報を示す図。
【図３】管理情報２００の詳細の一例を示す図。
【図４（ａ）】図１の実施例における再エンコード処理のフローチャート（前半）。
【図４（ｂ）】図１の実施例における再エンコード処理のフローチャート（後半）。
【図５】本発明を適用したディジタル信号記録再生装置の他の実施例を示すブロック図。
【図６】本発明による再エンコード処理の他の実施例を示すフローチャート。
【符号の説明】
【００３４】
１００…ＨＤＤレコーダ、１０１…アナログチューナ、１０２…ゴースト除去部、１０３…輝度・色信号分離部、１０４…デコーダ、１０５…切換部、１０６，１１５…エンコーダ、１０７…ディジタルチューナ、１０８…記録再生制御部、１０９…記録メディア、１１０…デコーダ、１１１…描画処理部、出力１１２…出力端子、１１３…制御部、１１４…表示部、２００〜２０８…記録管理情報、２１１…ファイル番号、２１２…タイトル入力情報、２１３…記録日時情報、２１４…記録サイズ情報、２１５…記録モード情報、２１６…先頭アドレス情報、２１７…再エンコード許可フラグ、２１８…再エンコード履歴情報
【図１】
2005190600.tif 000003
【図２】
2005190600.tif 000004
【図３】
2005190600.tif 000005
【図４（ａ）】
2005190600.tif 000006
【図４（ｂ）】
2005190600.tif 000007
【図５】
2005190600.tif 000008
【図６】
2005190600.tif 000009